(57)【要約】  ボトルアセンブリは、一端が開いた容器と、容器の縁の少なくとも一部に配置可能であって使用中に容器の通気を許容する通気アセンブリとを有する。通気アセンブリは概して通気インサートと、通気インサートと解除可能に連結可能な受口部とを備える。通気インサートは、容器の縁における通気アセンブリの位置の上に配置されたときに容器の中に長軸方向に関連する環状リップを含む。環状リップは横向きの内面を有し、その内面はキャッチとラッチとの一方を有する。受口の頂部は横向きの外面を含み、その外面はキャッチまたはラッチとの他方を有し、受口の頂部は受口部を通気インサートと解除可能にキャッチ連結及びラッチ連結をさせるように環状リップに挿入可能である。鍔アセンブリは容器を概ね閉鎖し、通気アセンブリを容器に保持するように開口端を超えて容器の首部と解除可能に係合可能である。
2017530828.tif 000002
【特許請求の範囲】
【請求項１】
共に内部において液体チャンバを画定する開口端と、閉口端と、ベース部と、前記開口端を画定する縁を備える首部とを備え、中心軸を有する容器と、
前記容器の前記縁の少なくとも一部に配置可能であって、使用中に前記容器の通気を許容し、前記容器の前記縁に配置されたとき、前記容器の前記中心軸に平行な方向以外の方向に延びる少なくとも１つの側方通気管を備える通気アセンブリであって、前記通気アセンブリは、通気インサートと、前記通気インサートと解除可能に連結可能な受口部とを備え、前記通気インサートは、少なくとも１つの側方通気管を含んで、前記容器の中に長軸方向に関連する環状リップをさらに含み、前記環状リップは横向きの内面を有し、前記環状リップの前記内面はキャッチとラッチとの一方を有し、前記受口は頂部と前記頂部から下方向に延びる通気チューブとを有し、前記受口の前記頂部は横向きの外面を含み、前記受口の前記外面はキャッチまたはラッチとの他方を有し、前記受口の前記頂部は前記受口部を前記通気インサートと解除可能にキャッチ及びラッチ連結をさせるように前記環状リップに挿入可能である前記通気アセンブリと、
前記容器を概ね閉鎖し、通気アセンブリを前記容器に保持するように前記開口端を超えて前記容器の前記首部と解除可能に係合可能な鍔アセンブリと、
を備えることを特徴とするボトルアセンブリ。
【請求項２】
請求項１に記載のボトルアセンブリにおいて、前記鍔アセンブリと前記通気アセンブリは互いに対して第１形態と第２形態と間でのボトルアセンブリの形態の選択を許容するように構成されており、前記第１形態においては前記通気アセンブリ全体が実質的に前記容器の前記液体チャンバの中に配置され、前記第２形態においては前記通気アセンブリが前記容器から取り外されていることを特徴とするボトルアセンブリ。
【請求項３】
請求項２に記載のボトルアセンブリにおいて、前記第１形態においては、前記鍔アセンブリが前記通気アセンブリと封止係合して、前記鍔アセンブリにより前記通気アセンブリが前記容器の前記縁と封止係合するように構成されており、前記第２形態においては、前記通気アセンブリが前記ボトルアセンブリから取り外されており、前記鍔アセンブリが前記容器の前記縁と実質的に封止係合することを特徴とするボトルアセンブリ。
【請求項４】
請求項２または請求項３のいずれか１項に記載のボトルアセンブリにおいて、前記容器の前記首部が外側ねじを備え、前記鍔アセンブリが前記容器の前記首部の前記外側ねじとねじ止め係合するように内側ねじを備え、
前記鍔アセンブリにある前記内側ねじの数が前記容器の前記首部にある前記外側ねじの数より多いことを特徴とするボトルアセンブリ。
【請求項５】
請求項２から請求項４のいずれか１項に記載のボトルアセンブリにおいて、前記鍔アセンブリが鍔部とニップルとを備え、前記ボトルアセンブリの前記第１形態において前記ニップルが前記通気アセンブリと封止係合し、前記ボトルアセンブリの前記第２形態において前記ニップルが前記容器の前記縁と封止係合することを特徴とするボトルアセンブリ。
【請求項６】
共に内部において液体チャンバを画定する開口端と、閉口端と、ベース部と、前記開口端を画定する縁を備える首部とを備え、中心軸を有する容器であって、前記容器の前記首部は前記容器の前記縁の下側に配置されたベースを有し、前記首部は、前記首部が前記ベースから前記容器の前記縁の方向に延びるにつれて先細りになる直径を有する前記容器と、
前記容器の前記縁の少なくとも一部に配置可能であって、使用中に前記容器の通気を許容し、前記容器の前記縁に配置されたとき、前記容器の前記中心軸に平行な方向以外の方向に延びる少なくとも１つの側方通気管を備える通気アセンブリであって、前記通気アセンブリが容器と係合するリップを更に有し、前記容器と係合するリップは、前記容器の内部空間において長軸方向に伸縮可能で、前記容器の前記縁における前記通気アセンブリの位置の上にあって、少なくとも一部の径方向に延びている環状胴部を有し、前記環状胴部は、前記容器の前記首部と封止係合する寸法に合わせて、前記首部の前記ベースと前記容器の前記縁との中間に配置された前記通気アセンブリと、
前記容器を概ね閉鎖し、通気アセンブリを前記容器に保持するように前記開口端を超えて前記容器の前記首部と解除可能に係合可能な鍔アセンブリと、
を備えることを特徴とするボトルアセンブリ。
【請求項７】
請求項６に記載のボトルアセンブリにおいて、前記容器と係合するリップは、内部に形成されて前記環状胴部に隣接している環状切り欠きを更に有することを特徴とするボトルアセンブリ。
【請求項８】
請求項７に記載のボトルアセンブリにおいて、前記環状切り欠きが第１環状切り欠きを備え、前記第１環状切り欠きは、前記容器と係合するリップに形成され、前記環状胴部の長手方向の一側において前記環状胴部に隣接しており、前記容器と係合するリップが第２環状切り欠きを備え、前記第２環状切り欠きは、前記容器と係合するリップの内部に形成され、前記環状胴部の長手方向の反対側において前記環状胴部に隣接していることを特徴とするボトルアセンブリ。
【請求項９】
請求項６に記載のボトルアセンブリにおいて、前記鍔アセンブリと前記通気アセンブリは互いに対して第１形態と第２形態と間でのボトルアセンブリの形態の選択を許容するように構成されており、前記第１形態においては前記通気アセンブリ全体が実質的に前記容器の前記液体チャンバの中に配置され、前記第２形態においては前記通気アセンブリが前記容器から取り外されていることを特徴とするボトルアセンブリ。
【請求項１０】
請求項９に記載のボトルアセンブリにおいて、前記第１形態においては、前記鍔アセンブリが前記通気アセンブリと封止係合して、前記鍔アセンブリにより前記通気アセンブリが前記容器の前記縁と封止係合するように構成されており、前記第２形態においては、前記通気アセンブリが前記ボトルアセンブリから取り外されており、前記鍔アセンブリが前記容器の前記縁と実質的に封止係合することを特徴とするボトルアセンブリ。
【請求項１１】
共に内部において液体チャンバを画定する開口端と、閉口端と、ベース部と、前記開口端を画定する縁を備える首部とを備え、中心軸を有する容器であって、前記容器の前記首部は前記容器の前記縁の下側に配置されたベースを有し、前記首部は、前記首部が前記ベースから前記容器の前記縁の方向に延びるにつれて先細りになる直径を有する前記容器と、
前記容器の前記縁の少なくとも一部に配置可能であって、使用中に前記容器の通気を許容し、前記容器の前記縁に配置されたとき、前記容器の前記中心軸に平行な方向以外の方向に延びる少なくとも１つの側方通気管を備える通気アセンブリであって、前記通気アセンブリが容器と係合するリップを更に有し、前記容器と係合するリップは、前記容器の内部空間において長軸方向に伸縮可能で、前記容器の前記縁における前記通気アセンブリの位置の上にあって、少なくとも一部の径方向に延びている環状胴部を有し、前記環状胴部は、前記容器の前記首部と封止係合する寸法に合わせ、前記容器と係合するリップは内部に形成されて前記環状胴部に隣接している環状切り欠きを更に有する前記通気アセンブリと、
前記容器を概ね閉鎖し、通気アセンブリを前記容器に保持するように前記開口端を超えて前記容器の前記首部と解除可能に係合可能な鍔アセンブリと、
を備えることを特徴とするボトルアセンブリ。
【請求項１２】
請求項１１に記載のボトルアセンブリにおいて、前記環状切り欠きが第１環状切り欠きを備え、前記第１環状切り欠きは、前記容器と係合するリップに形成され、前記環状胴部の長手方向の一側において前記環状胴部に隣接しており、前記容器と係合するリップが第２環状切り欠きを備え、前記第２環状切り欠きは、前記容器と係合するリップの内部に形成され、前記環状胴部の長手方向の反対側において前記環状胴部に隣接していることを特徴とするボトルアセンブリ。
【請求項１３】
請求項１１に記載のボトルアセンブリにおいて、前記鍔アセンブリと前記通気アセンブリは互いに対して第１形態と第２形態と間でのボトルアセンブリの形態の選択を許容するように構成されており、前記第１形態においては前記通気アセンブリ全体が実質的に前記容器の前記液体チャンバの中に配置され、前記第２形態においては前記通気アセンブリが前記容器から取り外されていることを特徴とするボトルアセンブリ。
【請求項１４】
請求項１３に記載のボトルアセンブリにおいて、前記第１形態においては、前記鍔アセンブリが前記通気アセンブリと封止係合して、前記鍔アセンブリにより前記通気アセンブリが前記容器の前記縁と封止係合するように構成されており、前記第２形態においては、前記通気アセンブリが前記ボトルアセンブリから取り外されており、前記鍔アセンブリが前記容器の前記縁と実質的に封止係合することを特徴とするボトルアセンブリ。
【請求項１５】
共に内部において液体チャンバを画定する開口端と、閉口端と、ベース部と、前記開口端を画定する縁を備える首部とを備え、中心軸を有する容器であって、前記容器の前記首部は前記容器の前記縁の下側に配置されたベースを有し、前記首部は、前記首部が前記ベースから前記容器の前記縁の方向に延びるにつれて先細りになる直径を有する前記容器と、
前記容器の前記縁の少なくとも一部に配置可能であって、使用中に前記容器の通気を許容し、前記容器の前記縁に配置されたとき、前記容器の前記中心軸に平行な方向以外の方向に延びる少なくとも１つの側方通気管を備える通気アセンブリであって、前記アセンブリがグリップタブを更に有し、ユーザーが前記容器から前記通気アセンブリを取り外す際に掴みやすくするように、前記グリップタブは前記通気アセンブリが前記容器の前記縁に配置されたときに利用可能である前記通気アセンブリと、
前記容器を概ね閉鎖し、通気アセンブリを前記容器に保持するように前記開口端を超えて前記容器の前記首部と解除可能に係合可能な鍔アセンブリと、
を備えることを特徴とするボトルアセンブリ。
【発明の詳細な説明】
【技術分野】
【０００１】
（関連出願の相互参照）
本出願は、２０１４年１０月１６日に出願された米国仮特許出願整理番号６２／０６４，７１８及び２０１５年１０月１３日に出願された米国特許出願整理番号１４／８８１，３３９の利益を主張するものであり、それらの全体が参照によって本明細書に組み入れられる。
【０００２】
（技術分野）
本発明の分野は、概してボトルアセンブリに関し、さらに詳しくは、少なくとも２つの異なる組み合わせの形態で構成可能である鍔アセンブリを含むボトルアセンブリに関する。
【背景技術】
【０００３】
幼児用ボトルアセンブリないし哺乳瓶アセンブリのようなボトルアセンブリは、ボトルと、ニップル（nipple）と、ボトルにニップルを固定するための鍔部(collar)（ニップルと鍔部はときに鍔アセンブリを一体的に形成する）と、非使用時にニップルを覆うキャップとを含む複数の構成要素を典型的には有している。ニップルは典型的に１つ以上の開口部を有しており、幼児（または小さな子供）が摂取する際に、ボトル内の液体はニップルを通じて幼児の口内に流出可能である。使用に際し、幼児は口の中にニップルの端部を入れ、ニップルを吸引してボトル内の液体を吸い出す。
【０００４】
少なくとも一部のボトルアセンブリは、ボトル内に配置可能で、取り外し可能な通気アセンブリを含んでいる。通気されたボトルアセンブリの一部の例として、ドクターブラウン（Dr Brown's）の商標名の下でハンディクラフトカンパニーから入手可能なものが挙げられる。他の例は、１９９８年７月１４日に発行された米国特許５７７９０７１号と、２０１０年１１月９日に発行された米国特許７８２８１６５号と、２０１２年２月１４日に発行された米国特許８１１３３６５号と、２０１２年４月３日に発行された米国特許８１４６７５９号とに開示されており、これらの全ての開示はここでの参照によって全体が組み込まれる。これらのボトルアセンブリでは、幼児がニップルを通じて液体を飲む間、通気アセンブリによって空気がボトル内に進入するため、飲んでいる間にボトル内で真空が形成されることを緩和または軽減する。通気アセンブリは、少なくとも部分的にボトルの縁に典型的には位置し、鍔部とニップルを含む鍔アセンブリは共に、ボトルの首部の外側ねじに通気アセンブリを超えて下方へねじ止め固定される。
【０００５】
一部のユーザーは、例えば、旅行の際に、または子供が大きくなって両親が通気アセンブリをもはや使用しないことを決めた際に、ボトルから取り外された通気アセンブリと、そのようなボトルを組み合わせてもよい。そのような例では、鍔アセンブリは、鍔部が可能な限り下方へ締められるまで、ボトルの首部にねじ止めされる。しかしながら、ボトルの首部と鍔部の高さがあるため、鍔アセンブリおよび特に鍔アセンブリのニップルはボトルの縁に対して十分に下方へ封止しない。その場合、ボトルから液体が漏出することがある。
【０００６】
それゆえに、ボトルアセンブリに対して、特に通気アセンブリを取り外せて、通気されるボトルアセンブリに対しては、漏出の危険なくボトルアセンブリを使用することが求められている。
【発明の概要】
【０００７】
一実施形態では、ボトルアセンブリは容器を概して備え、容器は共に内部において液体チャンバを画定する開口端と、閉口端と、ベース部と、首部とを有する。首部は容器の開口端を画定する縁を備える。容器は中心軸を有する。通気アセンブリは容器の縁の少なくとも一部に配置可能であって、使用中に容器の通気を許容し、容器の縁に配置されたとき、容器の中心軸に平行な方向以外の方向に延びる少なくとも１つの側方通気管を概して備える。通気アセンブリは、通気インサートと、通気インサートと解除可能に連結可能な受口部とを概して備える。通気インサートは、少なくとも１つの側方通気管と環状リップとを含んで、容器の縁における通気アセンブリの位置の上に配置されたときに環状リップは容器の中に長軸方向に関連する。環状リップは横向きの内面を有し、環状リップの内面はキャッチとラッチとの一方を有する。受口は頂部と頂部から下方向に延びる通気チューブとを有する。頂部は横向きの外面を含み、受口の外面はキャッチまたはラッチとの他方を有し、受口の頂部は受口部を通気インサートと解除可能にキャッチ及びラッチ連結をさせるように環状リップに挿入可能である。鍔アセンブリは容器を概ね閉鎖し、通気アセンブリを容器に保持するように開口端を超えて容器の首部と解除可能に係合可能である。
【０００８】
他の実施形態では、ボトルアセンブリは容器を概して備え、容器は共に内部において液体チャンバを画定する開口端と、閉口端と、ベース部と、首部とを有し、首部は容器の開口端を画定する縁を備える。容器は中心軸を有する。容器の首部は容器の縁の下側に配置されたベースを有し、首部は、首部がベースから容器の縁の方向に延びるにつれて先細りになる直径を有する。通気アセンブリは容器の縁の少なくとも一部に配置可能であって、使用中に容器の通気を許容し、容器の縁に配置されたとき、容器の中心軸に平行な方向以外の方向に延びる少なくとも１つの側方通気管を概して備える。通気アセンブリは通気アセンブリが容器と係合するリップを更に有し、容器と係合するリップは、容器の内部空間において長軸方向に伸縮可能で、容器の縁における通気アセンブリの位置の上にある。容器と係合するリップは少なくとも一部の径方向に延びている環状胴部を有し、環状胴部は、容器の首部と封止係合する寸法に合わせて、首部のベースと容器の縁との中間に配置される。鍔アセンブリは容器を概ね閉鎖し、通気アセンブリを容器に保持するように開口端を超えて容器の首部と解除可能に係合可能である。
【０００９】
また、他の実施形態では、ボトルアセンブリは容器を概して備え、容器は共に内部において液体チャンバを画定する開口端と、閉口端と、ベース部と、首部とを有し、首部は容器の開口端を画定する縁を備える。容器は中心軸を有する。通気アセンブリは容器の縁の少なくとも一部に配置可能であって、使用中に容器の通気を許容し、容器の縁に配置されたとき、容器の中心軸に平行な方向以外の方向に延びる少なくとも１つの側方通気管を概して備える。通気アセンブリは通気アセンブリが容器と係合するリップを更に有し、容器と係合するリップは、容器の内部空間において長軸方向に伸縮可能で、容器の縁における通気アセンブリの位置の上にある。容器と係合するリップは少なくとも一部の径方向に延びている環状胴部を有し、環状胴部は、容器の首部と封止係合する寸法に合わせる。容器と係合するリップは内部に形成されて環状胴部に隣接している環状切り欠きを更に有する。鍔アセンブリは容器を概ね閉鎖し、通気アセンブリを容器に保持するように開口端を超えて容器の首部と解除可能に係合可能である。
【００１０】
また、他の実施形態では、ボトルアセンブリは容器を概して備え、容器は共に内部において液体チャンバを画定する開口端と、閉口端と、ベース部と、首部とを有し、首部は容器の開口端を画定する縁を備える。容器は中心軸を有する。通気アセンブリは容器の縁の少なくとも一部に配置可能であって、使用中に容器の通気を許容し、容器の縁に配置されたとき、容器の中心軸に平行な方向以外の方向に延びる少なくとも１つの側方通気管を概して備える。アセンブリがグリップタブを更に有し、ユーザーが容器から通気アセンブリを取り外す際に掴みやすくするように、グリップタブは通気アセンブリが容器の縁に配置されたときに利用可能である。鍔アセンブリは容器を概ね閉鎖し、通気アセンブリを容器に保持するように開口端を超えて容器の首部と解除可能に係合可能である。
【図面の簡単な説明】
【００１１】
【図１】通気アセンブリを含む哺乳瓶アセンブリの一実施形態の断面斜視図。
【図２】通気アセンブリを含む図１のボトルの一部の拡大断面図。
【図３】通気アセンブリを取り外した図１のボトルの一部の拡大断面図。
【図４】哺乳瓶アセンブリの第２実施形態の拡大された一部の断面図。
【図５】図４の断面図の更に拡大された図。
【図６】図１−３のボトルアセンブリにまたは図４及び図５のボトルアセンブリに適したニップルの第２実施形態の側面図。
【図７】図６のニップルの底面図。
【図８】哺乳瓶アセンブリの第３実施形態の斜視図。
【図９】図８の哺乳瓶アセンブリの容器の斜視図。
【図１０Ａ】図８の哺乳瓶アセンブリのニップルの斜視図。
【図１０Ｂ】図８の哺乳瓶アセンブリのニップルの斜視図。
【図１１】図８の哺乳瓶アセンブリの鍔の斜視図。
【図１２Ａ】図８の哺乳瓶アセンブリの通気インサートの斜視図。
【図１２Ｂ】図８の哺乳瓶アセンブリの通気インサートの斜視図。
【図１３】図８の哺乳瓶アセンブリの通気アセンブリの受口部の斜視図。
【図１４】通気アセンブリを含む図８の哺乳瓶アセンブリの断面斜視図。
【図１５】通気アセンブリを含む図８の哺乳瓶アセンブリの一部の拡大断面図。
【図１６】通気アセンブリを取り外した図８の哺乳瓶アセンブリの一部の拡大断面図。
【図１７】通気アセンブリを含む哺乳瓶アセンブリの第４実施形態の断面斜視図。
【図１８Ａ】図１７の哺乳瓶アセンブリに適したニップルの斜視図。
【図１８Ｂ】図１７のニップルの断面図。
【図１９】図１７の哺乳瓶アセンブリに適した鍔の断面斜視図。
【図２０】図１７の哺乳瓶アセンブリに適した通気アセンブリの受口部の断面斜視図。
【図２１Ａ】図１７の哺乳瓶アセンブリに適した通気インサートの斜視図。
【図２１Ｂ】図１７の通気インサートの第２斜視図。
【図２１Ｃ】図１７の通気インサートの断面図。
【図２２】通気アセンブリを含む図１７のボトルの一部の拡大断面図。
【図２３】通気アセンブリを取り外した図１７のボトルの一部の拡大断面図。
【発明を実施するための形態】
【００１２】
図面の対応する参照符号は、各図を通じて対応する部分を示している。
【００１３】
ここで図の特に図１から図３を参照すると、符号１００で概略示されているボトルアセンブリは、ボトルのさらに詳しくは図示の実施形態の哺乳瓶のような容器１０２と、符号１０４で概略示された、ボトルを概ね閉鎖するための鍔アセンブリとを備える。容器１０２は、その内部として画定され、かつ乳児などのユーザーが摂取する一定量の液体を保持する液体チャンバ１０６を備える。また、容器１０２は、ここで図示された以外の構成であってもよく、スポーツボトル、ドリンクタンブラー、トレーニングカップ、および通勤者カップのような哺乳瓶アセンブリ以外に使用するように構成されてもよい。容器１０２は、限定されるわけではないが、ガラス、ポリプロピレン、または他のプラスチック、アルミニウム、またはステンレス鋼のような任意の適した材料からなってよい。また、容器１０２は、任意の色で形成されてよく、透明、半透明、または不透明であってもよい。
【００１４】
容器１０２は、閉じられた底部１０８と、開口した頂部１１０と、閉じられた底部１０８と開口した頂部１１０と間で延びている概ね円筒状の側壁１１２とを有する。円筒状の側壁１１２は、ベース部１１４と、ベース部１１４に対して狭小な首部１１６とを含む。即ち、首部１１６は、ベース部１１４よりも小径である。他の実施形態において、首部１１６の直径がベース部１１４の直径より僅かに小さくても、または首部１１６の直径がベース部１１４の直径と同様でも、本発明の範囲から離れることがない。首部１１６は、環状縁１１８と、外側ねじ部１２０と、首部１１６とベース部１１４との間の移行部分に画定される肩部１２２とを含む。ねじ部１２０は、後述する鍔アセンブリ１０４に容器１０２を組み合わせるためのねじ山１２４を含む。
【００１５】
ボトル１００の鍔アセンブリ１０４は、容器１０２にニップル１３０を選択的に保持するために、容器１０２に対して解除可能に取り付けられている。図示の鍔アセンブリ１０４は、ニップル１３０と鍔部１３２を含む。ニップル１３０と鍔部１３２は、それぞれ適した材料で形成されてよい。一実施形態では、例えば、ニップル１３０は、ゴム材料、シリコン材料、およびラテックス材料の少なくとも１つからなってもよく、鍔部１３２は、ポリプロピレンからなってもよい。ニップル１３０と鍔部１３２は、任意の色で形成されてよく、透明、半透明、または不透明であってもよい。
【００１６】
図２及び図３に示されている実施形態では、ニップル１３０は、ニップル部１３５と、横方向に延びるフランジ１３４とを含む。ニップルのフランジ１３４は、概ね円形の外側エッジ１３８から概ね円形の内側エッジ１４０まで延びる底面１３６を含む。図示の実施形態では、周方向に延びるリップ部１４２が、円形の外側エッジ１３８に概ね隣接したフランジから突出している。少なくとも一部の代替的な実施形態では、ニップル１３０は、周方向に延びるリップ部１４２を含んでいない。ニップル部１３５は、円形の内側エッジ１４０に概ね隣接したフランジ１３４から延出している。図２に示されているように、ニップル部１３５は、径方向外側へ突出した環状外側突出部１４４を含。また、ニップル部１３５は、ユーザーに液体を供給するための開口１４８を有する出口端１４６を含む。しかしながら、ニップル１３０が本発明から離れることなくここで図示および説明されているものと異なった形状および寸法を有してもよいことである。
【００１７】
図示の鍔部１３２は、環状のトップパネル１５０と、それに関連した側壁１５２とを有している。トップパネル１５０は、トップパネル１５０の環状塊または径方向内側のエッジマージン１５４に近接してパネルの下側から下方向に延びる環状突出部１５６を含む。エッジマージン１５４と環状突出部１５６により、鍔部１３２にニップル１３０を組み合わせることが容易となる。鍔アセンブリ１０４を組み立てるためには、ニップル部１３５が最初に鍔部１３２のトップパネル１５０の中心の開口部を上向きに通過し、エッジマージン１５４がニップル１３０の環状外側突出部１４４の下方に配置されるまでニップル１３０を引っ張ると、鍔部１３２の環状突出部１５６がニップル１３０の周囲のリップ部１４２の径方向内側に配置される。しかしながら、ニップル１３０と鍔部１３２は図示以外の構成であってもよく、他の態様で容器１０２にさらに組み合わせるために、共に組み合わせられるように構成されてもよい。また、他の実施形態において、ニップル１３０と鍔部１３２は、容器１０２に組み合わせて結合するためにアセンブリにおいて保持できる必要はない。
【００１８】
鍔部１３２の側壁１５２は、鍔部を固定するために、即ち容器１０２に鍔アセンブリ１０４を解除可能に固定するために、容器１０２の首部１１６の外側ねじ１２４とねじ止め係合するのに適した内側ねじ１６４が設けられた内面１６２を有する。一つの特に適した実施形態において、図２に示されているように、側壁１５２の内面１６２にある内側ねじ１６４の数は、容器１０２の首部１１６にある外側ねじ１２４の数よりも多く、このような特徴の目的は明らかになるであろう。一つの実施形態において、例えば、鍔部１３２は容器１０２の首部１１６にある外側ねじ１２４の数の約２倍の数の内側ねじ１６４を有してもよい。
【００１９】
図１及び図２を参照すると、ボトルアセンブリ１００は、使用中にボトルアセンブリの通気を許容する通気アセンブリ１８０を含んでいる。図３では、通気アセンブリ１８０が取り外されている。通気アセンブリ１８０は、図１に示されているように、通気インサート１８２と受口部１８４を含む。受口部１８４は、従来技術で公知の態様の摩擦嵌めなどによって通気インサート１８２に解除可能に取り付けられている。受口部１８４は、頂部１８６と、中間部１８８と、通気チューブ１９０とを含む。頂部１８６は、内部にリザーバ１９４を画定する概ね円筒状の側壁１９２を含む。通気チューブ１９０は、頂部１８６の側壁１９２よりも小径であり、かつ概ね円筒状の側壁１９６を含む。通気チューブ１９０の側壁１９６は、リザーバ１９４と流体的に連通した流路１９８を画定している。中間部１８８は、通気チューブの側壁１９６と頂部の側壁１９２との間で延びるテーパ状（先細り）の側壁２００を含む。また、通気チューブ１９０は、容器１０２の閉じられた底１０８に近接した流路１９８の端部に空気出口２０２を含む。
【００２０】
通気インサート１８２は、内側部２１０と外側部２１２とを含む。内側部２１０は、内側通気チューブ２１４と、リップ部２１６と、内側通気チューブ２１４とリップ部２１６との間でこれらに垂直な方向に延びる天壁２１８とを含む。内側通気チューブ２１４は、リザーバ１９４と流体的に連通する流路２２０を画定している。通気インサート１８２を受口部１８４に組み合わせるために、リップ部２１６は受口部１８４の側壁１９２と係合するように構成されている。例えば、一実施形態では、リップ部２１６は、側壁１９２と係合する胴部２２２を含む。これに代えて、通気インサート１８２と受口部１８４は、互いに一体的に形成されてもよい。通気インサート１８２の内側部２１０は、通気インサート１８２内でチャネル２３６を画定し、かつ天壁２１８から上方に延びる側方通気管２３４を含む。
【００２１】
通気インサート１８２の外側部２１２は、周囲壁２４０を含む。周囲壁２４０は、内側エッジ２４２と、外側エッジ２４４と、頂部２４６と、底部２４８とを含む。周囲壁２４０は少なくとも一つの通気箇所（図面に示されていない）を有し、チャネル２３６は周囲壁２４０を通って延びている。周囲壁２４０と天壁２１８との間に形成されている隙間２５０により、液体チャンバ１０６内の液体がニップル１３０に向かって流動可能である。しかしながら、通気アセンブリ１８０の構成要素は本発明の一部の実施形態から離れることなくここで図示および説明されているものと異なる形状および寸法を有してもよい。類似の通気アセンブリは、１９９８年７月１４日に発行された米国特許５７７９０７１号と、２０１０年１１月９日に発行された米国特許７８２８１６５号と、２０１２年２月１４日に発行された米国特許８１１３３６５号と、２０１２年４月３日に発行された米国特許８１４６７５９号とで開示されているボトルアセンブリに使用されているもののように、従来技術で公知である。従って、通気アセンブリ１８０の追加的な詳細および動作はここではさらに説明しない。
【００２２】
図２及び図３に示すように、鍔部の側壁１５２と容器の首部１１６とは、互いに対して適した寸法であり、２つの異なる形態でのボトルアセンブリ１００の動作が可能である。第１形態は、通気アセンブリ１８０が含まれており（図２参照）、第２形態は、通気アセンブリ１８０が取り外されている（図３参照）。例えば、図示の実施形態において、容器の首部１１６の長さ（またはここで図示している方向の高さ）（例えば、容器１０２の縁１１８から、首部が容器のベース部１１４に対して外側へ広がっている肩部１２２まで）は、第２形態では、即ち図３に示すように通気アセンブリが取り外されている場合では、鍔部の側壁１５２を収容するのに十分である。
【００２３】
従って、図２に示すように、第１形態では、ボトルアセンブリ１００は通気アセンブリ１８０を含んでおり、周囲壁２４０の底部２４８が容器の縁１１８に位置するように、通気アセンブリ１８０は容器１０２内に挿入される。通気アセンブリ１８０が容器１０２に挿入された後、鍔アセンブリ１０４は、鍔部の内側ねじ１６４を首部１１６の外側ねじ１２４にねじ止め係合し、容器に鍔部１３２を下方へねじって回転させることにより、容器１０２に取り付けられる。鍔部１３２が容器１０２に締められると、ニップル１３０の底面１３６は、通気アセンブリ１８０に対してニップル（従って鍔アセンブリ１０４）を封止するように、通気アセンブリ１８０の周囲壁２４０の頂部２４６に押しつけられる。同時に、通気アセンブリの周囲壁２４０の底部２４８は、通気アセンブリを容器に対して封止するように、容器１０２の縁１１８に押しつけられる。
【００２４】
本形態では、一部の低い位置にある鍔部のねじ１６４は首部のねじ１２４と係合し、最も高い位置にある鍔部のねじは通気アセンブリの周囲壁２４０に向かい合う。図２に示すように、第１形態で鍔部の側壁の底縁が首部１１６の下端の外側ねじ１２４の下方まで延びているため、鍔アセンブリ１０４が容器１０２に固定されているとき、外側ねじが見えなくなるほどに、鍔部の側壁１５２は十分に長い。
【００２５】
第２形態では、図３に示すように、通気アセンブリ１８０がボトルアセンブリ１００から取り外されている。この実施形態で鍔アセンブリ１０４が容器１０２に対して下方へ締められると、鍔部のねじ１６４が容器の首部１１６のねじ１２４と係合し、ニップル１３０が容器１０２の縁１１８に押しつけられて容器１０２に対して直接ニップル１３０を封止するまでに、鍔部１３２は容器にまで下方へ捩じられ回転される。この実施形態では、鍔部のねじの下端が首部１１６の最も低い位置にある外側ねじ１２４の下方に配置される。このように、鍔部１３２の下端が最も下の外側ねじ１２４の下方に配置され、容器の肩部１２２の近くに位置する。
【００２６】
図４及び図５は符号３００で概略示されている哺乳瓶アセンブリの第２実施形態を図示している。哺乳瓶アセンブリ３００は、図１から図３の哺乳瓶アセンブリ１００に類似であり、液体チャンバ３０６を備える容器３０２と、符号３０４で概略示されている鍔アセンブリとを含み、鍔アセンブリ３０４は、ニップル３３０と、容器にニップルを選択的に保持する鍔部３３２とを備える。哺乳瓶アセンブリ３００は更に通気アセンブリ３８０を備え、通気アセンブリ３８０は通気インサート３８２と受口部３８４を含む。図１から図３の実施形態の通気アセンブリ１８０と同様な方法で、受口部３８４は通気インサート３８２に解除可能に取り付けられている。この実施形態において、しかしながら、実質的に通気アセンブリ３８０の全体、特に通気インサート３８２全体は、実質的に容器３０２の液体チャンバ３０６の中に配置される（すなわち、容器の首部３１６の中に配置される）。
【００２７】
図４及び図５に示すように、容器３０２の首部３１６は、環状縁３１８と、外側ねじ部３２０と、首部３１６とベース部３１４との間の移行部分に画定される肩部３２２とを含む。ねじ部３２０は、鍔アセンブリ３０４に容器３０２を組み合わせるためのねじ山３２４を含む。容器の首部の中に通気インサート３８２を支持する内側肩部３２５を画定するように、容器３０２の首部３１６の内面３２３は段差内径を有する。
【００２８】
ニップル３３０は、ニップル部３３５と、横方向に延びるフランジ３３４とを含む。ニップルのフランジ３３４は、概ね円形の外側エッジ３３８から概ね円形の内側エッジ３４０まで延びる底面３３６を含む。図示の実施形態では、周方向に延びるリップ部３４２が、円形の外側エッジ３３８に概ね隣接したフランジ３３４から突出している。少なくとも一部の代替的な実施形態では、ニップル３３０は、周方向に延びるリップ部３４２を含んでいない。ニップル部３３５は、円形の内側エッジ３４０に概ね隣接したフランジ３３４から延出している。図４に示すように、ニップル部３３５は、径方向外側へ突出した環状外側突出部３４４を含む。しかしながら、ニップル３３０が本発明から離れることなくここで図示および説明されているものと異なった形状および寸法を有してもよいことである。
【００２９】
図示の鍔部３３２は、環状のトップパネル３５０と、それに関連した側壁３５２とを有している。トップパネル３５０は、トップパネル３５０の環状塊または径方向内側のエッジマージン３５４に近接してパネルの下側から下方向に延びる環状突出部３５６を含む。エッジマージン３５４と環状突出部３５６により、鍔部３３２にニップル３３０を組み合わせることが容易となる。鍔アセンブリ３０４を組み立てるためには、ニップル部３３５が最初に鍔部３３２のトップパネル３５０の中心の開口部を上向きに通過し、エッジマージン３５４がニップル３３０の環状外側突出部３４４の下方に配置されるまでニップル３３０を引っ張ると、鍔部３３２の環状突出部３５６がニップル３３０の周囲のリップ部３４２の径方向内側に配置される。しかしながら、ニップル３３０と鍔部３３２は図示以外の構成であってもよく、他の態様で容器３０２にさらに組み合わせるために、共に組み合わせられるように構成されてもよい。また、他の実施形態において、ニップル３３０と鍔部３３２は、容器３０２に組み合わせて結合するためにアセンブリにおいて保持できる必要はない。
【００３０】
鍔部３３２の側壁３５２は、鍔部３３２を固定するために、即ち容器３０２に鍔アセンブリ３０４を解除可能に固定するために、容器３０２の首部３１６の外側ねじ３２４とねじ止め係合するのに適した内側ねじ３６４が設けられた内面３６２を有する。
【００３１】
通気アセンブリ３８０の通気インサート３８２は周囲壁４４０を含んでおり、周囲壁４４０は環状胴部４２７を有し、環状胴部４２７は内側肩部３２５のすぐ上方において容器３０２の首部３１６の内面３２３と封止係合する。他の実施形態において、内側肩部３２５の更に上方の位置で首部３１６の内面３２３と封止係合するように、環状胴部４２７を通気インサート３８２の周囲壁４４０に配置することができ、このような配置でも本発明の範囲から離れることがない。
【００３２】
通気インサート３８２が容器３０２の首部３１６の内側肩部３２５に着座するときに、哺乳瓶アセンブリ３００を組み立てる際にニップル３３０と係合する程度に通気インサート３８２の頂部４４６が容器３０２の縁３１８の上方に十分に延びるように、通気インサート３８２の周囲壁４４０は適切に十分な長さを有する（例えば、図４及び図５の方向における高さ）。ニップル３３０が容器３０２の縁３１８に対して気密封止を形成することを避けるように、通気インサート３８２の頂部４４６もニップルを十分に高く保持する。
【００３３】
通気アセンブリ３８０が、更に具体的に言うと通気インサート３８２全体が、実質的に容器３０２の液体チャンバ３０６の中に配置されるように構成されることにより、特定なボトルに限定されるニップル３３０または鍔３３２は必要でない。例えば、図４及び図５に示されている実施形態において、通気インサート３８２を使用する第１形態に哺乳瓶アセンブリ３００を組み立てるときに、（受口部３８４に取り付けられる）通気インサートが容器の内面３２３の内側肩部３２５に着座しているように、通気インサートは容器３０２に配置されている。鍔アセンブリ３０４（すなわちニップル３３０及び鍔部３３２）は、鍔部を容器３０２の首部３１６の外側ねじ３２４にねじ止め係合し、容器に鍔部を下方へねじって回転させることにより、容器３０２に取り付けられる。鍔部３３２が容器３０２に締められると、空気がニップル及び容器の縁３１８の間に容器に進入可能であるときに、ニップル３３０の底面３３６は、通気インサートの周囲壁４４０の頂部４４６に対して封止する。
【００３４】
哺乳瓶アセンブリ３００の第２形態（図示せず）において、通気アセンブリ３８０は取り外されている。しかしながら、この実施形態において、鍔アセンブリ３０４は第１形態と同様な方法で容器３０２に取り付けられる。従って、この第２実施形態の鍔部３３２は、第１形態での状態と異なる第２形態での状態である容器に適するように構成される必要がない。
【００３５】
図６及び図７は第２実施形態にある哺乳瓶アセンブリ１００、３００に適したニップル５３０の第２実施形態を図示する。ニップル５３０は、底面５３６の構成を除き、図１から図３のニップル１３０と図４及び図５のニップル３３０に類似である。この実施形態において、ニップル５３０の底面５３６は複数の通気部５４１を有し、複数の通気部５４１は、ニップル５３０のフランジ５３４の外側エッジマージン５３８から径方向内側に延び、互いに円周方向に等間隔で配置される。図７に最もよく示されているように、示されている通気部５４１は複数の（周方向延在の）弧状チャネルを備え、弧状チャネルはニップルフランジ５３４の外側エッジマージン５３８から径方向内側に延びる。他の実施形態において、通気部５４１は任意の他の適した形状を有するように構成されてもよい。また、通気部５４１は上記形態の代わりに径方向に延びていてニップル５３０の底面５３６に形成されたスリットを備えてもよい。
【００３６】
ニップル５３０が図１から図３の哺乳瓶アセンブリ１００に利用される時に、通気部５４１がボトルアセンブリの第１形態で（すなわち、通気アセンブリ１８０が配置されている）通気インサート１８２の径方向内側に延びず、通気インサート１８２が通気部５４１の径方向内側にニップル１３０の底面５３６に対して封止するように、通気部５４１は（例えば、径方向の）長さに対して適した寸法である。しかしながら、ボトルアセンブリ１００の第２形態では、空気が通気部５４１を介して容器１０２内に進入できるように、ニップル５３０の底面５３６は容器１０２の縁１１８の径方向内側に延びる通気部５４１を有する容器１０２の縁１１８に接触する。
【００３７】
同様に、図４及び図５の哺乳瓶アセンブリ３００において、ボトルアセンブリの第１形態では（すなわち、通気アセンブリ３８０が配置されている）、（例えば、空気が通気アセンブリ３８０のみを介して容器３０２内に進入できるように）通気インサート３８２の周囲壁４４０の頂部４４６が通気部５４１の径方向内側にニップルの底面５３６に対して封止する。ボトルアセンブリ３００の第２形態では、空気がまた通気部５４１を介して容器３０２内に進入できるように、ニップル５３０の底面５３６は容器３０２の縁３１８の径方向内側に延びる通気部５４１を有する容器３０２の縁３１８に接触する。
【００３８】
図８から図１６はデュアル形態のボトルアセンブリの第３実施形態を図示する。符号８００で概略示されているボトルアセンブリは図１から図３のボトルアセンブリ１００に類似である。ボトルアセンブリ８００は、ボトルのさらに詳しくは図示の実施形態の哺乳瓶のような容器８０２と、符号８０４で概略示された、ボトルを概ね閉鎖するための鍔アセンブリとを備える。容器８０２は、概ね円筒形で、中心軸について対称であり、その内部として画定され、かつ乳児などのユーザーが摂取する一定量の液体を保持する液体チャンバ８０６を含む。また、容器８０２は、ここで図示された以外の構成であってもよく、スポーツボトル、ドリンクタンブラー、トレーニングカップ、および通勤者カップのような哺乳瓶アセンブリ以外に使用するように構成されてもよい。容器８０２は、限定されるわけではないが、ガラス、ポリプロピレン、または他のプラスチック、アルミニウム、またはステンレス鋼のような任意の適した材料からなってよい。また、容器８０２は、任意の色で形成されてよく、透明、半透明、または不透明であってもよい。
【００３９】
容器８０２の開口した頂部８１０の形態を除き、容器８０２は図１の容器１０２に類似である。この実施形態において、図９で最も容易に見られるように、容器８０２は、閉じられた底部８０８と、開口した頂部８１０と、閉じられた底部８０８と開口した頂部８１０と間で延びている概ね円筒状の側壁８１２とを有する。円筒状の側壁８１２は、ベース部８１４と、ベース部８１４に対して狭小な首部８１６とを含む。即ち、首部８１６は、ベース部８１４よりも小径である。首部８１６は、環状縁８１８と、外側ねじ部８２０と、首部８１６の周囲で延びるリップ部８２６とを含む。組み合わされると、リップ部８２６は、鍔部８３２の底縁８５１に近接して配置される（より詳しくは後述する）。容器８０２は、首部８１６とベース部８１４との間の移行部分に画定される肩部８２２をさらに備える。首部８１６のねじ部８２０は、後述する鍔アセンブリ８０４に容器８０２を組み合わせるためのねじ山８２４を含む。
【００４０】
ボトル８００の鍔アセンブリ８０４は、容器８０２にニップル８３０を選択的に保持するために、容器８０２に対して解除可能に取り付けられている。図示の鍔アセンブリ８０４は、ニップル８３０と鍔部８３２を含む。ニップル８３０と鍔部８３２は、それぞれ適した材料で形成されてよい。一実施形態では、例えば、ニップル８３０は、ゴム材料、シリコン材料、およびラテックス材料の少なくとも１つからなってもよく、鍔部８３２は、ポリプロピレンからなってもよい。ニップル８３０と鍔部８３２は、任意の色で形成されてよく、透明、半透明、または不透明であってもよい。
【００４１】
図１０Ａと図１０Ｂで最もよく見られるように、底面８３６を除き、ニップル８３０は図１から図３のニップル１３０に類似である。この実施形態において、ニップル８３０は、ニップル部８３５と、横方向に延びるフランジ８３４とを含む。ニップルのフランジ８３４は、概ね円形の外側エッジ８３８から概ね円形の内側エッジ８４０まで延びる底面８３６を含む。図示の実施形態では、周方向に延びるリップ部８４２が、円形の外側エッジ８３８に概ね隣接したフランジ８３４から突出している。少なくとも一部の代替的な実施形態では、ニップル８３０は、周方向に延びるリップ部８４２を含んでいない。ニップル部８３５は、円形の内側エッジ８４０に概ね隣接したフランジ８３４から延出している。一部の例では、ニップル部８３５は、径方向外側へ突出した環状突出部８４４を含む。また、ニップル部８３５は、ユーザーに液体を供給するための開口８４８を有する出口端８４６を含む。一部の実施形態では、ニップル８３０は、ニップルのフランジ８３４の底面８３６に設けられた１つ以上の径方向に延びる溝８３７を含んでいてもよい。詳細には後述するが、ボトルアセンブリ８００が通気アセンブリ８８０なしで使用される際、１つ以上の溝８３７によりボトルアセンブリ８００の通気は容易となる。しかしながら、ニップル８３０が本発明から離れることなくここで図示および説明されているものと異なった形状および寸法を有してもよいことである。
【００４２】
図１１に最もよく見られるように、図示の鍔部８３２は、環状のトップパネル８５０と、それに関連した側壁８５２とを有している。トップパネル８５０は、トップパネル８５０の径方向内側のエッジマージン８５４に近接してパネルの下側から下方向に延びる環状突出部８５６を含む（図１５参照）。エッジマージン８５４と環状突出部８５６により、鍔部８３２にニップル８３０を組み合わせることが容易となる。鍔アセンブリ８０４を組み立てるためには、ニップル部８３５が最初に鍔部８３２のトップパネル８５０の中心の開口部を上向きに通過し、エッジマージン８５４がニップル８３０の環状突出部８４４の下方に配置されるまでニップル８３０を引っ張ると、鍔部８３２の環状突出部８５６がニップル８３０の周囲のリップ部８４２の径方向内側に配置される。しかしながら、ニップル８３０と鍔部８３２は図示以外の構成であってもよく、他の態様で容器８０２にさらに組み合わせるために、共に組み合わせられるように構成されてもよい。また、他の実施形態において、ニップル８３０と鍔部８３２は、容器８０２に組み合わせて結合するためにアセンブリにおいて保持できる必要はない。
【００４３】
鍔部８３２の側壁８５２は、鍔部８３２を固定するために、即ち容器８０２に鍔アセンブリ８０４を解除可能に固定するために、容器８０２の首部８１６の外側ねじ８２４とねじ止め係合するのに適した内側ねじ８６４が設けられた内面８６２を有する。
【００４４】
また、図１２Ａから図１５に最もよく見られるように、ボトルアセンブリ８００は、使用中にボトルアセンブリの通気を許容する通気アセンブリ８８０を含む。図１６では、通気アセンブリ８８０が取り外されている。空気出口を除き、通気アセンブリ８８０は図１から図３の通気アセンブリ１８０に類似である。この実施形態において、通気アセンブリ８８０は、通気インサート８８２と受口部８８４を含む。受口部８８４は、従来技術で公知の態様の摩擦嵌めなどによって通気インサート８８２に解除可能に取り付けられている。受口部８８４は、頂部８８６と、中間部８８８と、通気チューブ８９０とを含む。頂部８８６は、内部にリザーバ８９４を画定する概ね円筒状の側壁８９２を含む。通気チューブ８９０は、頂部８８６の側壁８９２よりも小径であり、かつ概ね円筒状の側壁８９６を含む。通気チューブ８９０の側壁８９６は、リザーバ８９４と流体的に連通した流路８９８を画定している。中間部８８８は、通気チューブの側壁８９６と頂部の側壁８９２との間で延びるテーパ状の側壁９００を含む。また、通気チューブ８９０は、容器８０２の閉じられた底８０８に近接した流路８９８の端部に空気出口９０２を含む。通気チューブ８９０の空気出口９０２は、流路８９８内から容器８０２の液体チャンバ８０６への空気および／または流体の流れを促進する１つ以上の切り欠き９０４を備えてもよい。
【００４５】
図１２Ａと図１２Ｂと図１５とに最もよく見られるように、通気インサート８８２は、内側部９１０と、中間部９１１と、外側部９１２とを含むことを除き、通気インサート８８２は図１及び図２の通気インサート１８２また図４及び図５の通気インサート３８２に類似である。内側部９１０は、内側通気チューブ９１４と、リップ部９１６と、内側通気チューブ９１４とリップ部９１６との間でこれらに垂直な方向に延びる天壁９１８とを含む。内側通気チューブ９１４は、リザーバ８９４と流体的に連通する流路９２０を画定している。通気インサート８８２を受口部８８４に組み合わせるために、リップ部９１６は受口部８８４の側壁８９２と係合するように構成されている。例えば、一実施形態では、リップ部９１６は、側壁８９２と係合する胴部９２２を含む。これに代えて、通気インサート８８２と受口部８８４は、互いに一体的に形成されてもよい。通気インサート８８２の内側部９１０は、通気インサート８８２内でチャネル９３６を画定し、かつ天壁９１８から上方に延びる側方通気管９３４を含む。
【００４６】
通気インサート８８２の中間部９１１は、内側部９１０と外側部９１２との間で通気インサート８８２の中心に対して放射状に配置されている。中間部９１１は、容器と係合するリップ部９２４に、容器と係合する胴部９２６が配置された状態で、容器８０２の側壁８１２の内面に隣接するように構成された容器と係合するリップ部９２４を含む。容器と係合する胴部９２６は、通気アセンブリ８８０が容器８０２に位置するとき、容器８０２の側壁８１２の内面と（さらに詳しくは容器８０２の首部８１６の内面と）摩擦して係合する。受口部８８４の側壁８９２と、容器と係合するリップ部９２４との間に形成されている隙間９５０により、液体チャンバ８０６内の液体がニップル８３０に向かって流動可能である。
【００４７】
通気インサート８８２の外側部９１２は、周囲壁９４０を含む。周囲壁９４０は、内側エッジ９４２と、外側エッジ９４４と、頂部９４６と、底部９４８とを含む。図１５に最もよく見られるように、周囲壁９４０の底部９４８は、ボトルアセンブリ８００が組み立てられたとき、容器８０２の環状縁８１８に位置するように構成されている。外側部９１２は、周囲壁９４０の頂部９４６から突出する環状リブ９２８をさらに備える。ボトルアセンブリ８００の使用中の漏出を減少させるために、鍔アセンブリ８０４が容器８０２に取り付けられたとき、環状リブ９２８は、ニップル８３０のフランジ８３４を圧縮し、および／または変形させるのに役立ってもよい。また、環状リブ９２８は、ボトルアセンブリ８００が通気アセンブリ８８０を含んでいる第１形態において、ニップル８３０の底面８３６と封止係合してもよい。外側部９１２は、側方通気管９３４のチャネル９３６と流体的に連通した周囲壁９４０の底部９４８に設けられ、かつ径方向に延びている１つ以上の溝９３０をさらに備える。そのような実施形態では、外側部９１２が縁８１８に対して押圧されたときでも側方通気管９３４に空気が流れるように、１つ以上の溝９３０により、通気インサート８８２の一部が容器８０２の縁８１８から離れるように間隔を設けている。従って、ボトルアセンブリ８００が通気アセンブリ８８０を含んでいるとき、ボトルアセンブリ８００の使用中に容器８０２が通気できるように、側方通気管９３６は、１つ以上の溝９３０を介してボトルアセンブリ８００の外部と流体的に連通している。
【００４８】
図に示されている通気アセンブリ８８０は詳細に説明されているが、通気アセンブリ８８０の構成要素は本開示の一部の実施形態から離れることなくここで図示および説明されているものと異なる形状および寸法を有してもよい。
【００４９】
図１５と図１６に最もよく示されているように、鍔部の側壁８５２と、通気インサート８８２の外側部９１２と、容器の首部８１６とは、互いに対して適した寸法であり、２つの異なる形態でのボトルアセンブリ８００の動作が可能である。第１形態は、通気アセンブリ８８０が含まれており（図１５参照）、第２形態は、通気アセンブリ８８０が取り外されている（図１６参照）。例えば、容器の首部８１６の長さ（またはここで図示している方向の高さ）（例えば、容器８０２の縁８１８からリップ部８２６まで、および／または、首部８１６が容器８０２のベース部８１４に対して外側へ広がっている肩部８２２まで）は、第２形態では、即ち図１６に示されているように通気アセンブリ８８０が取り外されている場合では、鍔部８３２の側壁８５２を収容するのに十分である。さらに詳しくは、通気アセンブリ８８０が取り外された場合、鍔部８３２は、ニップル８３０の底面８３６が容器８０２の環状縁８１８に位置するように、通気インサート８８２の外側部９１２の周囲壁９４０の高さにおよそ等しい追加的な垂直距離分だけ下方へ締めるように構成されている。そのような実施形態では、通気アセンブリ８８０なしで使用する際にボトルアセンブリ８００からの液体の漏出を最小化または排除するために、鍔部８３２が追加的な垂直距離分だけ下方へ締めるように構成されているので、鍔部８３２は、ニップル８３０を環状縁８１８に固定して配置できる。
【００５０】
このことは、図１２Ａと図１２Ｂと図１５とを参照してより容易に理解できる。図示のように、通気インサート８８２は、外側部９１２の高さ（さらに詳しくは、周囲壁９４０の高さ）が通気インサート８８２の座部と比べて低く構成されている。これは、他の特徴の中でも、通気インサート８８２が組み立てられた位置にあるとき（図１５参照）、チャネル９３６が容器８０２の環状縁８１８の下方に最終的には位置するように、外側部９１２の下方に側方通気管９３４のチャネル９３６（または、代替的にはチャネル９３６の大部分）を設けることにより達成される。従って、組み立てられた際に（多くの公知の通気アセンブリに対して共通であるように）、仮にチャネル９３６が容器８０２の環状縁８１８の上方に設けられた場合に側方通気管９３４のチャネル９３６を収容することが必要であるその他のものよりも、外側部９１２の周囲壁９４０の高さは低くてよい。むしろ、通気インサート８８２の周囲壁９４０が、側方通気管９３４のチャネル９３６と流体的に連通した１つ以上の溝９３０を収容するのに十分な高さでなければならない。
【００５１】
そのような通気インサートの相対的な寸法関係（即ち、通気インサート８８２の他の特徴に対して周囲壁９４０が狭い）により、ボトルアセンブリ８００は、２つの形態で組み立て可能となる一方、それぞれの形態でのボトルアセンブリ８００からの漏出を最小化できる。例えば、図１５に最もよく見られるように、第１形態では、ボトルアセンブリ８００は、通気アセンブリ８８０を含んでいる。本形態では、通気インサート８８２の周囲壁９４０の底部９４８が容器８０２の縁８１８に位置するように、かつ容器と係合するリップ部９２４（さらに詳しくは、容器と係合する胴部９２６）は、容器８０２の側壁８１２の内面と摩擦して係合するように、通気アセンブリ８８０は容器８０２内に挿入される。通気アセンブリ８８０がそのような位置に挿入された後、鍔アセンブリ８０４は、鍔部の内側ねじ８６４を首部８１６の外側ねじ８２４にねじ止め係合し、容器８０２に鍔部８３２を下方へねじって回転させることにより、容器８０２に取り付けられる。鍔部８３２が容器８０２に締められると、ニップル８３０の底面８３６は、通気アセンブリ８８０に対してニップル８３０（従って鍔アセンブリ８０４）を封止するように、周囲壁９４０の頂部９４６と通気インサート８８２の環状リブ９２８とに押しつけられる。同時に、通気インサート８８２の周囲壁９４０の底部９４８は、容器８０２に通気アセンブリ８８０を配置するように、容器８０２の縁８１８に押しつけられる。
【００５２】
本形態では、鍔部のねじ８６４は、首部のねじ８２４と係合するため、鍔部８３２の下方にねじは見えない。さらに詳しくは、図１５に最もよく示されているように、第１形態で鍔部の側壁８５２の底縁８５１が首部８１６の最下端の外側ねじ８２４の下方まで延びているため、鍔アセンブリ８０４が容器８０２に固定されているとき、外側ねじ８２４が見えなくなるほどに、鍔部の側壁８５２は十分に長い。さらに、鍔アセンブリ８０４により、ニップル８３０と通気アセンブリ８８０が容器８０２の縁８１８に固定して配置されるので、ボトルアセンブリ８００の使用中の漏出は最小化される。
【００５３】
さらに、ニップル８３０がフランジ８３４の底面８３６で径方向に延びる１つ以上の溝８３７を含む実施形態では、ボトルアセンブリ８００が第１形態のとき、１つ以上の溝８３７が液体チャンバ８０６と流体的に連通しないように、通気インサート８８２に設けられた環状リブ９２８は、１つ以上の溝８３７と容器８０２の液体チャンバ８０６との間のシールとして役立ってもよい。さらに詳しくは、図１０Ｂに戻って、ニップルフランジ８３４の底面８３６に設けられた１つ以上の溝８３７は、ニップル８３０の外側エッジ８３８から内に部分的にのみ延びている（即ち、１つ以上の溝８３７は、ニップル８３０の内側エッジ８４０まで完全には延びていなくてよい）。さらに、（ボトルアセンブリ８００が第１形態で組み立てられているとき）通気インサート８８２の環状リブ９２８は、１つ以上の溝８３７の最内部から径方向内側に配置されてもよい。そのような実施形態では、環状リブ９２８は、１つ以上の溝８３７の最内部から径方向内側に配置されているので、ボトルアセンブリ８００が第１形態であるとき、１つ以上の溝８３７が液体チャンバ８０６と流体的に連通しないように、環状リブ９２８は１つ以上の溝８３７から容器８０２の液体チャンバ８０６を封止してもよい。そのような実施形態では、使用中の容器８０２の通気は、通気アセンブリ８８０を介して、さらに詳しくは通気インサート８８２の１つ以上の溝９３０と側方通気管９３４を介して達成されてもよい。
【００５４】
第２形態では、図１６に示すように、通気アセンブリ８８０がボトルアセンブリ８００から取り外されている。そのような実施形態では、鍔アセンブリ８０４が容器８０２に対して下方へ締められると、ニップル８３０が容器８０２に対して直接ニップル８３０を封止するように、容器８０２の縁８１８に対して接触するまで鍔部のねじ８６４は容器８０２の首部８１６のねじ８２４と係合し、鍔部８３２は容器８０２にまで下方へ捩じられ回転される。従って、鍔アセンブリ８０４は、最終的に容器８０２に完全に位置する前に第１形態よりも長い距離捩じられる。即ち、通気アセンブリ８８０（および従って通気インサート８８２）が本形態ではボトルアセンブリ８００から取り外されているので、鍔アセンブリ８０４は通気インサート８８２の周囲壁９４０の高さにおよそ等しい追加的な垂直距離分下方へ締められることを要する。しかしながら、通気インサート８８２が上述のように構成されているので（例えば、側方通気管９３４のチャネル９３６が通気インサート８８２の外側部９１２の下方に配置されているので）、周囲壁９４０は相対的に狭く、従って、（図１５に示すように）通気アセンブリ８８０が含まれている場合に対して、鍔部８３２を大幅に追加的に締めることを要しない。従って、第２形態では、鍔部８３２の側壁８５２がリップ部８２６および／または肩部８２２と係合する前に、鍔アセンブリ８０４は、完全に締められる（即ち、ニップル８３０が容器８０２と固定して係合するように完全に組み立てられる）。
【００５５】
通気アセンブリ８８０が取り外された、ボトルアセンブリ８００が第２形態であっても、ニップル８３０の底面８３６に含まれる１つ以上の溝８３７は、容器８０２を通気するように構成されてもよい。さらに詳しくは、図１６に最もよく見られるように、１つ以上の溝８３７により、ニップル８３０の一部が、容器８０２の縁８１８から離れるように間隔を設け、容器８０２の液体チャンバ８０６と流体的に連通した通気間隔８４９を形成している。従って、ボトルアセンブリ８００が第２形態で組み立てられている場合（即ち、縁８１８に対してニップル８３０が押圧され、通気アセンブリ８８０が取り外された状態で、ボトルアセンブリ８００が使用される場合）、ボトルアセンブリ８００は、１つ以上の溝８３７と、容器の縁８１８との間に設けられた間隔８４９を介してそれでもなお通気されてもよい。従って、第２形態であっても、空気が通気間隔８４９を介してボトルアセンブリに流体的に進入し得るので、ボトルアセンブリ８００内の真空の形成を軽減または排除できる。
【００５６】
ここで説明した構成要素は、現存のボトルアセンブリおよび／または現存する通気アセンブリのユーザーに対して、さらなる利点をもたらす。例えば、多くの現在のユーザーは、１つ以上の公知の鍔アセンブリおよび／または通気アセンブリと共に動作するように構成されている複数の容器８０２をすでに所有していることがある。これらの容器は、例えば、公知の鍔アセンブリおよび／または公知の通気アセンブリと共に使用されるように構成されているリップ部８２６および／または外側ねじ８２４を備える。しかしながら、通気インサート８８２の周囲壁９４０がここで説明されているように構成されているので（即ち、周囲壁９４０が従来技術の通気インサートと比べて相対的に狭いので）、（上述のように）通気アセンブリ８８０が組み合わせられているとき、鍔部８３２の側壁８５２は、容器８０２の外側ねじ８２４を覆いつつ、例えば、公知の鍔部よりも狭く構成されてよい。従って、ユーザーは、ここで説明されている鍔アセンブリ８０４および／または通気アセンブリ８８０を、彼らが現在所有している容器８０２と共に使用できる一方、公知の通気アセンブリが取り外される場合リップ部８２６および／または肩部８２２は公知の鍔部と干渉する（従って、漏出に繋がる）。さらに、開示の例の鍔アセンブリ８０４の一部の実施形態では（さらに詳しくは、開示の例のニップル８３０の一部の実施形態）、ボトルアセンブリ８００が第２形態であるとき、通気間隔８４９を設ける１つ以上の溝８３７を含むので、容器８０２は、例え通気アセンブリ８８０が取り外されても、使用中に通気される。従って、開示の例の一部の実施形態では、例え通気アセンブリ８８０が取り外されても、使用中にボトルアセンブリ８００内での真空の形成を軽減または排除する。さらに、容器８０２の製造者等は、公知のボトルアセンブリと同じデザインを使用して容器８０２を継続して製造しつつ、ここで説明した新規な鍔アセンブリ８０４および／または通気アセンブリ８８０を有するボトルアセンブリ８００を提供できるため、改善されたボトルアセンブリ８００により、上述のいずれの形態であっても、ボトルアセンブリ８００の使用中の漏出を軽減または排除できる。
【００５７】
図１７を参照すると、第４実施形態に基づくボトルアセンブリは符号１０００で概略示されており、図１から図３のボトルアセンブリ１００、図４及び図５のボトルアセンブリ３００、また図１４から図１６のボトルアセンブリ８００と類似である。この実施形態のボトルアセンブリ１０００、ボトルのさらに詳しくは図示の実施形態の哺乳瓶のような容器１００２と、符号１００４で概略示された、ボトルを概ね閉鎖するための鍔アセンブリとを備える。容器１００２は、その内部として画定され、かつ乳児などのユーザーが摂取する一定量の液体を保持する液体チャンバ１００６を含む。また、容器１００２は、ここで図示された以外の構成であってもよく、スポーツボトル、ドリンクタンブラー、トレーニングカップ、および通勤者カップのような哺乳瓶アセンブリ以外に使用するように構成されてもよい。容器１００２は、限定されるわけではないが、ガラス、ポリプロピレン、または他のプラスチック、アルミニウム、またはステンレス鋼のような任意の適した材料からなってよい。また、容器１００２は、任意の色で形成されてよく、透明、半透明、または不透明であってもよい。
【００５８】
容器１００２は、閉じられた底部１００８と、開口した頂部１０１０と、閉じられた底部１００８と開口した頂部１０１０と間で延びている概ね円筒状の側壁１０１２とを有する。円筒状の側壁１０１２は、ベース部１０１４と、ベース部１０１４に対して狭小な首部１０１６とを含む。即ち、首部１０１６は、ベース部１０１４よりも小径である。他の実施形態において、首部１０１６の直径がベース部１０１４の直径より僅かに小さくても、または首部１０１６の直径がベース部１０１４の直径と同様でも、本発明の範囲から離れることがない。図１７に最もよく見られるように、ベース部１０１４は、容器１００２を握りやすくするように、ベース部１０１４の他の部分に対して狭小な中段１０１５を含む。他の実施形態において、側壁１０１２は本発明から離れることなく上述実施形態のように概ね円筒状であってもよい。首部１０１６は、環状縁１０１８と、外側ねじ部１０２０と、首部１０１６とベース部１０１４との間の移行部分に画定される肩部１０２２とを含む。ねじ部１０２０は、後述する鍔アセンブリ１００４に容器１００２を組み合わせるためのねじ山１０２４を含む。
【００５９】
ボトル１０００の鍔アセンブリ１００４は、容器１００２にニップル１０３０を選択的に保持するために、容器１００２に対して解除可能に取り付けられている。図示の鍔アセンブリ１００４は、ニップル１０３０と鍔部１０３２を含む。ニップル１０３０と鍔部１０３２は、それぞれ適した材料で形成されてよい。一実施形態では、例えば、ニップル１０３０は、ゴム材料、シリコン材料、およびラテックス材料の少なくとも１つからなってもよく、鍔部１０３２は、ポリプロピレンからなってもよい。ニップル１０３０と鍔部１０３２は、任意の色で形成されてよく、透明、半透明、または不透明であってもよい。
【００６０】
図１８Ａ及び図１８Ｂに示されている実施形態では、ニップル１０３０は、ニップル部１０３５と、横方向に延びるフランジ１０３４とを含む。ニップルのフランジ１０３４は、概ね円形の外側エッジ１０３８から概ね円形の内側エッジ１０４０まで延びる底面１０３６を含む。図示の実施形態では、周方向に延びるリップ部１０４２が、円形の外側エッジ１０３８に概ね隣接したフランジから突出している。少なくとも一部の代替的な実施形態では、ニップル１０３０は、周方向に延びるリップ部１０４２を含んでいない。ニップル部１０３５は、円形の内側エッジ１０４０に概ね隣接したフランジ１０３４から延出している。図１８Ｂに示すように、ニップル部１０３５は、径方向外側へ突出した環状外側突出部１０４４を含む。また、ニップル部１０３５は、ユーザーに液体を供給するための開口１０４８を有する出口端１０４６を含む。しかしながら、ニップル１０３０が本発明から離れることなくここで図示および説明されているものと異なった形状および寸法を有してもよいことである。
【００６１】
図示の鍔部１０３２は、図１９で最もよく見られるように、環状のトップパネル１０５０と、それに関連した側壁１０５２とを有している。トップパネル１０５０は、トップパネル１０５０の環状塊または径方向内側のエッジマージン１０５４に近接してパネルの下側から下方向に延びる環状突出部１０５６を含む。エッジマージン１０５４と環状突出部１０５６により、鍔部１０３２にニップル１０３０を組み合わせることが容易となる。鍔アセンブリ１００４を組み立てるためには、ニップル部１０３５が最初に鍔部１０３２のトップパネル１０５０の中心の開口部を上向きに通過し、エッジマージン１０５４がニップル１０３０の環状外側突出部１０４４の下方に配置されるまでニップル１０３０を引っ張ると、鍔部１０３２の環状突出部１０５６がニップル１０３０の周囲のリップ部１０４２の径方向内側に配置される。しかしながら、ニップル１０３０と鍔部１０３２は図示以外の構成であってもよく、他の態様で容器１００２にさらに組み合わせるために、共に組み合わせられるように構成されてもよい。また、他の実施形態において、ニップル１０３０と鍔部１０３２は、容器１００２に組み合わせて結合するためにアセンブリにおいて保持できる必要はない。
【００６２】
鍔部１０３２の側壁１０５２は、容器１００２に鍔アセンブリ１００４を解除可能に固定するために、容器１００２の首部１０１６の外側ねじ１０２４とねじ止め係合するのに適した内側ねじ１０６４が設けられた内面１０６２を有する。また、この実施形態において、図１７に示すように、側壁１０５２の内面１０６２にある内側ねじ１０６４の数は、容器の首部１０１６にある外側ねじ１０２４の数よりも多い。
【００６３】
図１７から図２２を参照すると、ボトルアセンブリ１０００は、使用中にボトルアセンブリの通気を許容する通気アセンブリ１０８０を含んでいる。図２３では、通気アセンブリ１０８０が取り外されている。通気アセンブリ１０８０は、通気インサート１０８２と受口部１０８４を含む。図２０に示すように、受口部１０８４は、通気インサート１０８２に解除可能に取り付けられている。受口部１０８４は、頂部１０８６と、中間部１０８８と、通気チューブ１０９０とを含む。頂部１０８６は、内部にリザーバ１０９４を画定する概ね円筒状の側壁１０９２を含む。その円筒形状は製造／成形やすくするためであるが、受口部１０８４の頂部１０８６は他の適した形状であってもよい。通気チューブ１０９０は、頂部１０８６の側壁１０９２よりも小径であり、かつ概ね円筒状の側壁１０９６を含む。通気チューブ１０９０の側壁１０９６は、リザーバ１０９４と流体的に連通した流路１０９８を画定している。中間部１０８８は、通気チューブの側壁１０９６と頂部の側壁１０９２との間で延びるテーパ状の側壁１１００を含む。また、通気チューブ１０９０は、容器１００２の閉じられた底１００８に近接した流路１０９８の端部に空気出口１１０２を含む。
【００６４】
図２１Ａから図２１Ｃに示すように、通気インサート１０８２は、内側部１１１０と、中間部１１１１と、外側部１１１２とを含む。内側部１１１０は、内側通気チューブ１１１４と、リップ部１１１６と、内側通気チューブ１１１４とリップ部１１１６との間でこれらに垂直な方向に延びる天壁１１１８とを含む。内側通気チューブ１１１４は、リザーバ１０９４と流体的に連通する流路１１２０を画定している。通気インサート１０８２を受口部１０８４に組み合わせるために、リップ部１１１６は受口部１０８４の側壁１０９２と係合するように構成されている。
【００６５】
特に適した実施形態において、図２２で最もよく見られるように、通気インサート１０８２のリップ部１１１６と受口部１０８４の頂部１０８６とは、受口部と通気インサートの間にラッチとキャッチとのタイプの連結を提供するように構成されている。例えば、図示の実施形態において、通気インサート１０８２のリップ部１１１６は、キャッチを概ね画定するようにリップ部の径方向内側に突出する環状リブまたは胴部１１２２を含む。この特定な実施形態において、胴部１１２２は、胴部１１２２の上でリップ部１１１６の径方向内側に形成された環状チャネルを提供することにより形成される。概括的にキャッチを画定するようにさらに胴部を画定すると、受口部が通気インサートと連結するときにこの環状チャネルは受口部１０８４を収納する。しかしながら、リップ部は胴部１１２２の上にある概ね均一な断面であってもよく、リップ部からの径方向内側突出に形成されたリブまたは胴部であってもよい。
【００６６】
概括的にラッチを画定するように、対応するリブまたは胴部１１０８は受口部１０８４の頂部１０８６の側壁１０９２の縁の周りから径方向外側へ突出する。通気アセンブリ１０８０の組み合わせ中、受口部１０９４の側壁１０９２は通気インサート１０８２の中心軸に沿って通気インサート１０８２のリップ部１１１６に挿入される。通気インサート１０８２の弾力性は、受口部１０８４の側壁１０９２の胴部１１０８（概括的にいうと、ラッチ）がリップ部の胴部１１２２（概括的にいうと、キャッチ）に通過させられるように、リップ部１１１６の直径を外側へ少し拡大させる。図２２に示すように、受口部１０８４を解除可能に通気インサート１０８２に保持するように、いったん側壁１０９２の胴部１１０８がリップ部１１１６の胴部１１２２を通ると、側壁の胴部１１０８がリップ部の胴部１１２２の上のチャネルの中に位置するように、リップ部１１１６は弾性的に拡大されていない状態に引っ込む。図２２で最もよく見られるように、リップ部１１１６の径方向外側接触が容易となるよう、さらに受口部が初めてリップ部に挿入するときに受口部がリップ部への摺動が容易となるように、リップ部１１１６の下端（例えば、胴部１１２２以下）と、受口部１０８４の頂部１０８６の側壁１０９２の縁（例えば、胴部１１０８以上）は先細りになる。
【００６７】
受口部１０８４が通気インサート１０８２のリップ部１１１６に挿入される配置におけるこのラッチとキャッチとのタイプは、受口部が通気インサートに保持されて中央揃えることをもっと容易とし、ボトルの組み合わせ中及び／または使用中に受口部が通気インサートに対する傾斜を防止する。他の実施形態において、通気インサート１０８２のリップ部１１１６及び受口部１０８４の頂部１０８６の側壁１０９２は、本発明の範囲から離れることなくリップ部１１１６が概括的にラッチを画定して側壁１０９２が概括的にキャッチを画定するように、構成される。一部の実施形態において、受口部１０８４の頂部１０８６の側壁１０９２から径方向外側突出するリブまたは胴部１１０８は、受口部の頂部の縁より下方の位置に横向きで配置されてもよい。他の代替的な実施形態において、受口部の頂部が通気インサートのリップ部の内部に受け入れられれば、プレスフィットの方法で受口部を通気インサートに解除可能に連結するように、インサート１０８２のリップ部１１１６及び受口部１０８４の頂部１０８６は直線的または先細りであってもよい。
【００６８】
図２１Ａから図２１Ｃに戻って、通気インサート１０８２の内側部１１１０は通気インサート１０８２内でチャネル１１３６を画定し、かつ天壁１１１８から上方に延びる側方通気管１１３４をさらに含む。この実施形態の通気インサート１０８２は通気インサート１０８２から上方に突出しているタブ１１０４をさらに含む。１つの実施形態において、このタブ１１０４は、通気インサートが容器に組み合わせたときに容器１００２の首部１０１６の長手方向外側に延びるように、適した寸法を有する。例えば容器を洗浄するまたは詰め替えるために、ボトル１０００の解体時には、ユーザーが通気インサート１０８２を容器１００２から引き出すことを容易とする。このような構造はユーザーがタブ１１０４を掴むことを容易とする。他の実施形態において、ユーザーがタブ１１０４を掴んで通気インサート１０８２を容器１００２から引き出すに適した寸法を有すれば、タブ１１０４には容器１００２の首部１０１６の上方で延びる寸法を有する必要ではない。
【００６９】
通気インサート１０８２の中間部１１１１は、内側部１１１０と外側部１１１２との間で通気インサート１０８２の中心に対して放射状に配置されている。中間部１１１１は、容器１００２の側壁１０１２の内面に、さらに詳しくは容器の首部１０１６に、隣接するように構成された容器と係合するリップ部１１２４を含む。特に、側壁１０１２の内面と（さらに詳しくは首部１０１６の内面と）摩擦して係合するように、容器と係合するリップ部１１２４は径方向外側に延びる環状リブまたは胴部１１２６を有する。この実施形態において、一対の環状切り欠き（第１切り欠きと第２切り欠き）１１２５、１１２７は、径方向で容器と係合するリップ１１２４の外面に、環状胴部１１２６のすぐ上及びすぐ下にあるように形成される。摺動している及び容器１００２の側壁１０１２の内面と摩擦して係合しているときに環状胴部１１２６の屈曲または他の変位は切り欠き１１２５、１１２７が設けられていない（例えば、上述実施形態において）よりさらに予測できるように、切り欠き１１２５、１１２７は、リップ部１１２４に対する環状胴部１１２６の弾力性を増やす。この増えた弾性力も、まだ十分に容器１００２の首部１０１６と封止係合している環状胴部１１２６を有する容器へ／からの通気インサート１０８２の挿入及び取り外しを容易とする。
【００７０】
この第４実施形態において、図１７及び図２２に示すように、容器１００２の首部１０１６は、首部の底部から容器の縁１１１８への方向につれて先細りになる内径を有するように、好適に構成される。よって、容器と係合するリップ部１１２４から径方向外側へ延びている環状リブまたは胴部１１２６は、首部の底部と容器の縁１１１８の間に容器１００２の首部１０１６の内面と封止係合する。環状胴部１１２６が胴部の首部と封止係合する目標位置の上方における首部の内面に対する摩擦抵抗に遭わないため、首部１０１６の内面の直径の外側に向く先細りは、容器１００２へ／からの通気インサートの挿入及び取り外しをさらに容易とする。
【００７１】
通気インサート１０８２外側部１１１２は周囲壁１１４０を含む。周囲壁１１４０は、内側エッジ１１４２と、外側エッジ１１４４と、頂部１１４６と、底部１１４８とを含む。図２２で最もよく見られるように、ボトルアセンブリ１０００が組み立てたときに底部１１４８が容器１００２の縁１０１８に位置するように構成される。外側部１１１２は、周囲壁１１４０の頂部１１４６から突出する環状リブ１１２８をさらに備える。ボトルアセンブリ１０００の使用中の漏出を減少させるために、鍔アセンブリ１００４が容器１００２に取り付けられたとき、環状リブは、ニップル１０３０のフランジ１０３４を圧縮し、および／または変形させるのに役立ってもよい。また、環状リブ１１２８は、ボトルアセンブリ１０８０が通気アセンブリ１０８０を含んでいる第１形態において、ニップル１０３０の底面１０３６と封止係合してもよい。
【００７２】
周囲壁１１４０は少なくとも一つの通気箇所（図面に示されていない）を有し、チャネル１１３６は周囲壁１１４０を通って延びている。周囲壁１１４０と天壁１１１８との間に形成されている隙間１１５０により、液体チャンバ１００６（図１７参照）内の液体がニップル１０３０に向かって流動可能である。（上述実施形態におけるリップ部の外側の周りを除いて）上述のような、受口１０８４を通気インサート１０８２のリップ部１１１６への挿入は、隙間１１５０を通る液体の流れの詰まりまたは減少を避ける。しかしながら、通気アセンブリ１０８０の構成要素は本開示の一部の実施形態から離れることなくここで図示および説明されているものと異なる形状および寸法を有してもよい。
【００７３】
図１７、図２２及び図２３に示すように、鍔部の側壁１０５２と容器の首部１０１６とは、互いに対して適した寸法であり、２つの異なる形態でのボトルアセンブリ１０００の動作が可能である。第１形態は、通気アセンブリ１０８０が含まれており（図２２参照）、第２形態は、通気アセンブリが取り外されている（図２３参照）。例えば、図示の実施形態において、容器の首部１０１６の長さ（またはここで図示している方向の高さ）（例えば、容器１００２の縁１０１８から、首部が容器のベース部１０１４に対して外側へ広がっている肩部１０２２まで）は、第２形態では、即ち図２３に示すように通気アセンブリ１０８０が取り外されている場合では、鍔部の側壁１０５２を収容するのに十分である。ボトルアセンブリ１０００は、上記ボトルアセンブリ１００、ボトルアセンブリ３００、及びボトルアセンブリ８００に関する第１形態と第２形態の間に移行する。
【００７４】
図２２に示すように、第１形態では、ボトルアセンブリ１０００は通気アセンブリ１０８０を含んでおり、周囲壁１１４０の底部１１４８が容器１００２の縁１０１８に位置するように、通気アセンブリ１０８０は容器１００２内に挿入される。通気アセンブリ１０８０が容器１００２に挿入された後、鍔アセンブリ１００４は、鍔部の内側ねじ１０６４を首部１０１６の外側ねじ１０２４にねじ止め係合し、容器１００２に鍔部１０３２を下方へねじって回転させることにより、容器１００２に取り付けられる。鍔部１０３２が容器１００２に締められると、ニップル１０３０の底面１０３６は、通気アセンブリに対してニップル（従って鍔アセンブリ１００４）を封止するように、通気アセンブリ１０８０の周囲壁１１４０の頂部１１４６に接触する。同時に、通気アセンブリの周囲壁１１４０の底部１１４８は、通気アセンブリを容器に対して封止するように、容器１００２の縁１０１８に押しつけられる。
【００７５】
本形態では、鍔部一部の低い位置にある鍔部のねじ１０６４は首部のねじ１０２４と係合し、最も高い位置にある鍔部のねじは通気アセンブリの周囲壁１１４０に向かい合う。図２２に示すように、第１形態で鍔部の側壁の底縁が首部１０１６の下端の外側ねじ１０２４の下方まで延びているため、鍔アセンブリ１００４が容器１００２に固定されているとき、外側ねじ１０２４が見えなくなるほどに、鍔部の側壁１０５２は十分に長い。
【００７６】
第２形態では、図２３に示すように、通気アセンブリ１０８０が取り外されている。鍔部１０３２は、ニップル１０３０の底面１０３６が容器１００２の環状縁１０１８に位置するように、通気インサート１０８２の外側部１１１２の周囲壁１１４０の高さにおよそ等しい追加的な垂直距離分だけ下方へ締めるように構成されている。そのような実施形態では、通気アセンブリ１０８０なしで使用する際にボトルアセンブリ１０００からの液体の漏出を最小化または排除するために、鍔部１０３２が追加的な垂直距離分だけ下方へ締めるように構成されているので、鍔部１０３２は、ニップル１０３０を環状縁１０１８に固定して配置できる。
【００７７】
図２２に示すように、通気インサート１０８２は、外側部１１１２の高さ（さらに詳しくは、周囲壁１１４０の高さ）が通気インサート１０８２の残部と比べて低く構成されている。これは、他の特徴の中でも、通気インサート１０８２が組み立てられた位置にあるとき、チャネル１１３６が容器１００２の環状縁１０１８の下方に最終的には位置するように、外側部１１１２の下方に側方通気管１１３４のチャネル１１３６（または、代替的にはチャネル１１３６の大部分）を設けることにより達成される。従って、組み立てられた際に（多くの公知の通気アセンブリに対して共通であるように）、仮にチャネル１１３６が容器１００２の環状縁１０１８の上方に設けられた場合に側方通気管１１３４のチャネル１１３６を収容することが必要であるその他のものよりも、外側部１１１２の周囲壁１１４０の高さは低くてよい。
【００７８】
そのような通気インサートの相対的な寸法関係（即ち、通気インサート１０８２の他の特徴に対して周囲壁１１４０が狭い）により、ボトルアセンブリ１０００は、２つの形態で組み立て可能となる一方、それぞれの形態でのボトルアセンブリ１０００からの漏出を最小化できる。例えば、図２２に最もよく見られるように、第１形態では、ボトルアセンブリ１０００は、通気アセンブリ１０８０を含んでいる。本形態では、通気インサート１０８２の周囲壁１１４０の底部１１４８が容器１００２の縁１０１８に位置するように、かつ容器と係合するリップ部１１２４（さらに詳しくは、容器と係合する胴部１１２６）は、容器１００２の側壁１０１２の内面と摩擦して係合するように、通気アセンブリ１０８０は容器１００２内に挿入される。通気アセンブリ１０８０がそのような位置に挿入された後、鍔アセンブリ１００４は、鍔部の内側ねじ１０６４を首部１０１６の外側ねじ１０２４にねじ止め係合し、容器１００２に鍔部１０３２を下方へねじって回転させることにより、容器１００２に取り付けられる。鍔部１０３２が容器１００２に締められると、ニップル１０３０の底面１０３６は、通気アセンブリ１０８０に対してニップル１０３０（従って鍔アセンブリ１００４）を封止するように、周囲壁１１４０の頂部１１４６と通気インサート１０８２の環状リブ１１２８とに押しつけられる。同時に、通気インサート１０８２の周囲壁１１４０の底部１１４８は、容器１００２に通気アセンブリ１０８０を配置するように、容器１００２の縁１０１８に押しつけられる。
【００７９】
本形態では、鍔部のねじ１０６４は、首部のねじ１０２４と係合するため、鍔部１０３２の下方にねじは見えない。さらに詳しくは、第１形態で鍔部の側壁１０５２の底縁１０５１が首部１０１６の最下端の外側ねじ１０２４の下方まで延びているため、鍔アセンブリ１００４が容器１００２に固定されているとき、外側ねじ１０２４が見えなくなるほどに、鍔部の側壁１０５２は十分に長い。さらに、鍔アセンブリ１００４により、ニップル１０３０と通気アセンブリ１０８０が容器１００２の縁１０１８に固定して配置されるので、ボトルアセンブリ１０００の使用中の漏出は最小化される。
【００８０】
第２形態では、図２３に示すように、通気アセンブリ１０８０がボトルアセンブリ１０００から取り外されている。そのような実施形態では、鍔アセンブリ１００４が容器１００２に対して下方へ締められると、ニップル１０３０が容器１００２に対して直接ニップル１０３０を封止するように、容器１００２の縁１０１８に押しつけられるまで鍔部のねじ１０６４は容器１００２の首部１０１６のねじ１０２４と係合し、鍔部１０３２は容器１００２にまで下方へ捩じられ回転される。従って、鍔アセンブリ１００４は、最終的に容器１００２に完全に位置する前に第１形態よりも長い距離捩じられる。即ち、通気アセンブリ１０８０（および従って通気インサート１０８２）が本形態ではボトルアセンブリ１０００から取り外されているので、鍔アセンブリ１００４は通気インサート１０８２の周囲壁１１４０の高さにおよそ等しい追加的な垂直距離分下方へ締められることを要する。しかしながら、通気インサート１０８２が上述のように構成されているので（例えば、側方通気管１１３４のチャネル１１３６が通気インサート１０８２の外側部１１１２の下方に配置されているので）、周囲壁１１４０は相対的に狭く、従って、（図２２に示すように）通気アセンブリ１０８０が含まれている場合に対して、鍔部１０３２を大幅に追加的に締めることを要しない。従って、第２形態では、鍔部１０３２の側壁１０５２がリップ部１０２６および／または肩部１０２２と係合する前に、鍔アセンブリ１００４は、完全に締められる（即ち、ニップル１０３０が容器１００２と固定して係合するように完全に組み立てられる）。
【００８１】
本発明または様々な変形の要素、実施形態、もしくは態様を導入する場合、冠詞や不定冠詞は、１つ以上の要素であることを意味する。「備える(comprise)」、「含む（include）」、および「有する（have）」の用語は、包括的であり、例挙された要素以外の追加的な要素が存在してもよいことを意図している。特に方向（例えば、「頂」、「底」、「側」等）を示す用語の使用は、説明の便宜上のものであり、説明されている用語の方向を特定することを要するものではない。
【００８２】
上述において本発明の範囲から離れることなく、様々な変形がなされてもよく、上で説明し、かつ添付図に示した全ての内容は、図示のように解釈され、意味を限定するものではないことを意図している。
【図１】
2017530828.tif 000003
【図２】
2017530828.tif 000004
【図３】
2017530828.tif 000005
【図４】
2017530828.tif 000006
【図５】
2017530828.tif 000007
【図６】
2017530828.tif 000008
【図７】
2017530828.tif 000009
【図８】
2017530828.tif 000010
【図９】
2017530828.tif 000011
【図１０Ａ】
2017530828.tif 000012
【図１０Ｂ】
2017530828.tif 000013
【図１１】
2017530828.tif 000014
【図１２Ａ】
2017530828.tif 000015
【図１２Ｂ】
2017530828.tif 000016
【図１３】
2017530828.tif 000017
【図１４】
2017530828.tif 000018
【図１５】
2017530828.tif 000019
【図１６】
2017530828.tif 000020
【図１７】
2017530828.tif 000021
【図１８Ａ】
2017530828.tif 000022
【図１８Ｂ】
2017530828.tif 000023
【図１９】
2017530828.tif 000024
【図２０】
2017530828.tif 000025
【図２１Ａ】
2017530828.tif 000026
【図２１Ｂ】
2017530828.tif 000027
【図２１Ｃ】
2017530828.tif 000028
【図２２】
2017530828.tif 000029
【図２３】
2017530828.tif 000030
【国際調査報告】
2017530828.tif 000031
2017530828.tif 000032